【誤訳訂正書】
【提出日】平成17年1月7日(2005.1.7)
【誤訳訂正１】
【訂正対象書類名】特許請求の範囲
【訂正対象項目名】全文
【訂正方法】変更
【訂正の内容】
【特許請求の範囲】
【請求項１】
時間ドメイン相互相関または周波数ドメイン相互スペクトルのプロセスのいずれかを用いて、基準信号を協同信号と相互相関付けることによって発生する到着時間差（TDOA）推定値を改善するために、移動送信機の位置の検出において用いる方法であって、前記基準信号は、前記移動送信機が送信し第１アンテナにおいて受信した第１信号のコピーであり、前記協同信号は、前記移動送信機が送信し第２アンテナにおいて受信した前記第１信号のコピーであり、
ａ． TDOA推定値の最可能範囲を決定するステップと、
ｂ．前記TDOA推定値の最可能範囲内のみにおいて、相互相関の結果を探索するステップと、
ｃ．前記TDOAを、前記相互相関の強度の最適値と関連付けられた、前記最可能範囲内における値であると推定するステップと、
を備えた方法。
【請求項２】
請求項１記載の方法において、前記TDOA推定値の最可能範囲を、前記基準信号を受信した前記第１アンテナと、前記協同信号を受信した前記第２アンテナとの間の距離と関連付けられた時間値に、所定の誤差値を加算した値に限定する、方法。
【請求項３】
請求項１記載の方法において、前記TDOA推定値の最可能範囲を、前記移動送信機が位置することが予めわかっている区域のみに対応するものとして決定する、方法。
【請求項４】
請求項１記載の方法において、前記最適値は、前記時間ドメイン相互相関または等価な周波数ドメイン相互スペクトルのプロセスの最も高い強度ピークである、方法。
【請求項５】
請求項１記載の方法において、前記最適値は、前記時間ドメイン相互相関または等価な周波数ドメイン相互スペクトルのプロセスの強度が、前記時間ドメイン相互相関または等価な周波数ドメイン相互スペクトルのプロセスの最も高い強度ピークの所定の割合未満でないときにおける最早点である、方法。
【請求項６】
請求項１記載の方法において、前記最適値は、前記時間ドメイン相互相関または等価な周波数ドメイン相互スペクトルのプロセスの強度が平均ノイズ・レベルの所定割合未満でないときにおける最早点である、方法。
【請求項７】
請求項１記載の方法において、前記TDOA推定値の最可能範囲を更に限定して、前記基準信号を受信した第１アンテナから所定距離の範囲内の区域に対応するようにした、方法。
【請求項８】
請求項１記載の方法において、前記TDOA推定値の最可能範囲を更に限定して、前記協同信号を受信した第２アンテナから所定距離の範囲内の区域に対応するようにした、方法。
【請求項９】
請求項７または８記載の方法において、往復遅延測定を用いて前記所定距離を決定する、方法。
【請求項１０】
請求項７または８記載の方法において、前記第１および第２アンテナにおける前記移動電話機の受信電力を測定することによって、前記所定距離を決定する、方法。
【請求項１１】
時間ドメイン相互相関または等価な周波数ドメイン相互スペクトルのプロセスのいずれかを用いて基準信号を協同信号と相互相関付けることによって発生する到着時間差（TDOA）推定値を改善するために、移動送信機の位置の検出において用いる方法であって、いずれのプロセスも到着周波数差（FDOA）およびTDOA双方の同時解を必要とし、前記基準信号が、前記移動送信機が送信し第１アンテナにおいて受信した第１信号のコピーであり、前記協同信号が、前記移動送信機が送信し第２アンテナにおいて受信した前記第１信号のコピーであり、
ａ．FDOA推定値の最可能範囲を決定するステップと、
ｂ．TDOA推定値の最可能範囲を決定するステップと、
ｃ．前記TDOA推定値およびFDOA推定値の最可能範囲内でのみ、前記相互相関の結果を探索するステップと、
ｄ．前記TDOAを、前記相互相関の強度の最適値と関連付けられた、前記最可能範囲内の値であると推定するステップと、
から成る方法。
【請求項１２】
請求項１１記載の方法において、前記FDOA推定値の最可能範囲を、静止またはほぼ静止状態の移動送信機と関連付けられた周波数値に限定する、方法。
【請求項１３】
請求項１１または１２記載の方法において、前記TDOA推定値の最可能範囲を、前記基準信号を受信した前記第１アンテナと、前記協同信号を受信した前記第２アンテナとの間の距離と関連付けられた時間値に、所定の誤差値を加算した値に限定する、方法。
【請求項１４】
請求項１１または１２記載の方法において、前記最適値は、時間ドメイン相互相関または等価な周波数ドメイン相互スペクトルのプロセスの最も高い強度ピークである、方法。
【請求項１５】
請求項１１または１２記載の方法において、前記最適値は、前記時間ドメイン相互相関または等価な周波数ドメイン相互スペクトルのプロセスの強度が、前記時間ドメイン相互相関または等価な周波数ドメイン相互スペクトルのプロセスの最も高い強度ピークの所定の割合未満でないときにおける、最早点である、方法。
【請求項１６】
請求項１１または１２記載の方法において、前記最適値は、前記時間ドメイン相互相関または等価な周波数ドメイン相互スペクトルのプロセスの強度が平均ノイズ・レベルの所定割合未満でないときにおける最早点である、方法。
【請求項１７】
請求項１２記載の方法において、前記TDOA推定値の最可能範囲を更に限定して、前記基準信号を受信した第１アンテナから所定距離の範囲内の区域に対応するようにした、方法。
【請求項１８】
請求項１２記載の方法において、前記TDOA推定値の最可能範囲を更に限定して、前記協同信号を受信した第２アンテナから所定距離の範囲内の区域に対応するようにした、方法。
【請求項１９】
請求項１７または１８記載の方法において、往復遅延測定を用いて前記所定距離を決定する、方法。
【請求項２０】
請求項１７または１８記載の方法において、前記第１および第２アンテナにおける前記移動電話機の受信電力を測定することによって、前記所定距離を決定する、方法。
【請求項２１】
移動送信機の位置の検出において用いる方法であって、
ａ．相互相関値の集合を提供するステップであって、各相互相関値を対応するTDOA推定値およびFDOA推定値の一方または双方と関連付け、基準信号を協同信号と相関付けることによって生成し、前記基準信号が、前記移動送信機が送信し第１アンテナにおいて受信した信号のコピーから成り、前記協同信号が、前記移動送信機が送信し、第２アンテナにおいて受信した前記信号のコピーから成る、ステップと、
ｂ．TDOA推定値およびFDOA推定値の一方または双方の最可能範囲を決定するステップと、
ｃ．前記TDOA推定値およびFDOA推定値の一方または双方の前記最可能範囲に対応する相互相関値の部分集合内において最適相互相関値を特定するステップと、
ｄ．前記移動送信機の位置の算出において、前記最適相互相関値に対応するTDOA推定値およびFDOA値の一方または双方を用いるステップと、
を備えた方法。
【請求項２２】
請求項２１記載の方法において、前記相互相関が、時間ドメインにおける相互相関から成る、方法。
【請求項２３】
請求項２１記載の方法において、前記相互相関が、周波数ドメインにおける相互相関から成る、方法。
【請求項２４】
請求項２１記載の方法において、前記TDOA推定値の最可能範囲は、前記移動送信機の位置の大まかな推定値に基づく、方法。
【請求項２５】
請求項２１記載の方法において、前記FDOA推定値の最可能範囲は、前記移動送信機の速度の大まかな推定値に基づく、方法。
【請求項２６】
請求項２４記載の方法において、前記大まかな推定値は、前記第１および第２アンテナ間の距離に少なくとも部分的に基づく、方法。
【請求項２７】
請求項２６記載の方法において、前記大まかな推定値は、更に、所定の誤差値に基づく、方法。
【請求項２８】
請求項２４記載の方法において、前記大まかな推定値は、前記移動送信機が位置することが予めわかっている区域に基づく、方法。
【請求項２９】
請求項２１記載の方法において、前記相互相関値の部分集合内で最大のピーク強度を有する相互相関値を、前記最適相互相関値として特定する、方法。
【請求項３０】
請求項２１記載の方法において、前記最適相互相関値として、前記強度が前記最大ピーク強度の所定の割合未満でない最も小さい関連するTDOA推定値を有する前記相互相関値の部分集合内の値を特定するステップを含む、方法。
【請求項３１】
請求項２１記載の方法において、前記最適相互相関値として、前記強度が平均ノイズ・レベルの所定の割合未満でない最も小さい関連するTDOA推定値を有する前記相互相関値の部分集合内の値を特定するステップを含む、方法。
【請求項３２】
請求項２４記載の方法において、前記大まかな推定値は、前記第１アンテナから所定距離内の区域に基づく、方法。
【請求項３３】
請求項２４記載の方法において、前記大まかな推定値は、前記第２アンテナから所定距離内の区域に基づく、方法。
【請求項３４】
請求項３２または３３記載の方法において、前記所定距離を、往復遅延測定を用いて決定する、方法。
【請求項３５】
請求項３２または３３記載の方法において、前記所定距離を、前記第１および第２アンテナにおいて前記移動送信機の受信電力を測定することにより決定する、方法。
【請求項３６】
移動送信機の位置を検出する無線ロケーション・システム（WLS）であって、
ａ．TDOA推定値およびFDOA推定値の一方または双方の最可能範囲を決定する手段と、
ｂ．前記TDOA推定値およびFDOA推定値の一方または双方の前記最可能範囲に対応する相互相関値の部分集合内において最適相互相関値を特定する手段であって、前記相互相関値の部分集合が、相互相関値の集合内に含まれ、前記集合における各相互相関値には、対応するTDOA推定値およびFDOA推定値の一方または双方が関連付けられている、手段と、
を備えた無線ロケーション・システム。
【請求項３７】
請求項３６記載のシステムにおいて、前記相互相関値の集合における各値は、時間または周波数のドメインにおける、基準信号の協同信号との相互相関を表す、システム。
【請求項３８】
請求項３７記載のシステムにおいて、前記基準信号は、前記移動送信機が送信し第１アンテナにおいて受信した信号のコピーから成り、前記協同信号は、前記移動送信機が送信し第２アンテナにおいて受信した前記信号のコピーから成る、システム。
【請求項３９】
請求項３６記載のシステムであって、更に、前記移動送信機の位置の算出において、最適相互相関値に対応するTDOA推定値およびFDOA値の一方または双方を用いる手段を備えている、システム。
【請求項４０】
無線ロケーション・システム（WLS）において移動送信機の位置を検出するために用いる方法であって、
ａ．TDOA推定値およびFDOA推定値の一方または双方の最可能範囲を決定するステップと、
ｂ．前記TDOA推定値およびFDOA推定値の一方または双方の前記最可能範囲に対応する相互相関値の部分集合内において最適相互相関値を特定するステップであって、前記相互相関値の部分集合が、相互相関値の集合内に含まれており、前記集合における各相互相関値が、対応するTDOA推定値およびFDOA推定値の一方または双方と関連付けられている、ステップと、
を備えた方法。
【請求項４１】
請求項４０記載の方法において、前記相互相関値の集合における各値は、時間または周波数のドメインにおける、基準信号の協同信号との相互相関を表す、方法。
【請求項４２】
請求項４１記載の方法において、前記基準信号は、前記移動送信機が送信し第１アンテナにおいて受信した信号のコピーから成り、前記協同信号は、前記移動送信機が送信し第２アンテナにおいて受信した前記信号のコピーから成る、方法。
【請求項４３】
請求項４０記載の方法であって、更に、前記移動送信機の位置の算出において、前記最適相互相関値に対応するTDOA推定値およびFDOA値の一方または双方を用いるステップを含む、方法。